(57)【要約】【課題】  年賀画像を含む複数種の画像の印刷をプリンタに実行させることが可能な端末装置において、印刷の指示を受け付けるためのアイコンを含むメニュー画面を表示すべき際に、ユーザが喪中であることを考慮した適切な処理を実行するための技術を提供する。【解決手段】  端末装置は、年賀アイコンと特定アイコンを含む複数個のアイコンを含むメニュー画面を表示し、年賀アイコンが選択される場合に、年賀画像の印刷をプリンタに実行させ、特定アイコンが選択される場合に、特定画像の印刷をプリンタに実行させる。端末装置は、端末装置のユーザから喪中であることを示す第１の指示が受け付けられなかったと判断される場合に、メニュー画面を表示部に表示すべき際に、年賀アイコンが特定アイコンよりも選択され易くするための出力処理を実行し、第１の指示が受け付けられたと判断される場合に、メニュー画面を表示部に表示すべき際に、出力処理を実行しない。【選択図】  図３
2019061371.tif 000002
【特許請求の範囲】
【請求項１】
端末装置のコンピュータプログラムであって、
前記端末装置のコンピュータを、
年賀画像の印刷をプリンタに実行させるための年賀アイコンと、前記年賀画像とは異なる特定画像の印刷を前記プリンタに実行させるための特定アイコンと、を含む複数個のアイコンを含むメニュー画面を前記端末装置の表示部に表示するメニュー制御部と、
前記年賀アイコンが選択される場合に、対象の年賀画像の印刷を前記プリンタに実行させる年賀印刷処理部と、
前記特定アイコンが選択される場合に、前記特定画像の印刷を前記プリンタに実行させる特定印刷処理部と、
前記端末装置のユーザから喪中であることを示す第１の指示を受け付けたのか否かを判断する第１の判断部と、として機能させ、
前記メニュー制御部は、
前記第１の指示が受け付けられなかったと判断される場合に、前記メニュー画面を前記表示部に表示すべき際に、前記年賀アイコンが前記特定アイコンよりも選択され易くするための出力処理を実行し、
前記第１の指示が受け付けられたと判断される場合に、前記メニュー画面を前記表示部に表示すべき際に、前記出力処理を実行しない、コンピュータプログラム。
【請求項２】
前記コンピュータプログラムは、前記コンピュータを、さらに、
前記年賀アイコンが選択され、かつ、サーバに記憶されている複数個の年賀画像情報によって表わされる複数個の年賀画像の中から前記対象の年賀画像が選択される場合に、前記サーバから、前記対象の年賀画像を表わす対象の年賀画像情報を受信する受信部として機能させ、
前記年賀印刷処理部は、受信済みの前記対象の年賀画像情報によって表わされる前記対象の年賀画像の印刷を前記プリンタに実行させ、
前記出力処理は、新たな年賀画像を表わす新たな年賀画像情報が前記サーバに記憶されたことを前記ユーザに通知するための処理を含む、請求項１に記載のコンピュータプログラム。
【請求項３】
前記メニュー制御部は、
前記第１の指示が受け付けられなかったと判断される場合に、問合せ信号を前記サーバに送信して、前記問合せ信号に対する応答として、前記新たな年賀画像情報が前記サーバに記憶されたことを示す所定情報を受信し、
前記第１の指示が受け付けられたと判断される場合に、前記問合せ信号を前記サーバに送信せず、
前記問合せ信号が前記サーバに送信されることに起因して前記サーバから前記所定情報が受信される場合に、前記メニュー画面を前記表示部に表示すべき際に、前記出力処理を実行し、
前記問合せ信号が前記サーバに送信されないことに起因して前記サーバから前記所定情報が受信されない場合に、前記メニュー画面を前記表示部に表示すべき際に、前記出力処理を実行しない、請求項２に記載のコンピュータプログラム。
【請求項４】
前記メニュー制御部は、
本日の日付が１年のうちの第１の期間内であり、かつ、前記第１の指示が受け付けられなかったと判断される場合に、前記メニュー画面を前記表示部に表示すべき際に、前記出力処理を実行し、
本日の日付が１年のうちの前記第１の期間内であり、かつ、前記第１の指示が受け付けられたと判断される場合に、前記メニュー画面を前記表示部に表示すべき際に、前記出力処理を実行せず、
本日の日付が１年のうちの前記第１の期間とは異なる期間内である場合に、前記メニュー画面を前記表示部に表示すべき際に、前記出力処理を実行しない、請求項１から３のいずれか一項に記載のコンピュータプログラム。
【請求項５】
前記特定アイコンは、前記特定画像である寒中見舞い画像の印刷を前記プリンタに実行させるための寒中アイコンであり、
前記メニュー制御部は、
本日の日付が１年のうちの第１の期間内である場合に、第１の表示態様を有する前記寒中アイコンを含む前記メニュー画面を前記表示部に表示し、
本日の日付が１年のうちの前記第１の期間とは異なる第２の期間内である場合に、前記第１の表示態様と比べて選択され易い第２の表示態様を有する前記寒中アイコンを含む前記メニュー画面を前記表示部に表示する、請求項１から４のいずれか一項に記載のコンピュータプログラム。
【請求項６】
前記メニュー制御部は、
本日の日付が前記第２の期間内であり、かつ、前記第１の指示が受け付けられたと判断される場合に、前記第２の表示態様を有する前記寒中アイコンを含む前記メニュー画面を前記表示部に表示し、
本日の日付が前記第２の期間内であり、かつ、前記第１の指示が受け付けられなかったと判断される場合に、前記第１の表示態様を有する前記寒中アイコンを含む前記メニュー画面を前記表示部に表示する、請求項５に記載のコンピュータプログラム。
【請求項７】
前記コンピュータプログラムは、前記コンピュータを、さらに、
前記端末装置のユーザから、他人から年賀状を受け取ったことを示す第２の指示を受け付けたのか否かを判断する第２の判断部として機能させ、
前記メニュー制御部は、
本日の日付が前記第２の期間内であり、かつ、前記第２の指示が受け付けられたと判断される場合に、前記第２の表示態様を有する前記寒中アイコンを含む前記メニュー画面を前記表示部に表示し、
本日の日付が前記第２の期間内であり、かつ、前記第２の指示が受け付けられなかったと判断される場合に、前記第１の表示態様を有する前記寒中アイコンを含む前記メニュー画面を前記表示部に表示する、請求項５又は６に記載のコンピュータプログラム。
【請求項８】
端末装置のコンピュータプログラムであって、
前記端末装置のコンピュータを、
年賀画像の印刷をプリンタに実行させるための年賀アイコンと、前記年賀画像とは異なる特定画像の印刷を前記プリンタに実行させるための特定アイコンと、を含む複数個のアイコンを含む第１のメニュー画面を前記端末装置の表示部に表示するメニュー制御部と、
前記年賀アイコンが選択される場合に、前記年賀画像の印刷を前記プリンタに実行させる年賀印刷処理部と、
前記特定アイコンが選択される場合に、前記特定画像の印刷を前記プリンタに実行させる特定印刷処理部と、
前記端末装置のユーザから喪中であることを示す第１の指示を受け付けたのか否かを判断する第１の判断部と、として機能させ、
前記メニュー制御部は、
前記第１の指示が受け付けられなかったと判断される場合に、前記第１のメニュー画面を前記表示部に表示し、
前記第１の指示が受け付けられたと判断される場合に、少なくとも前記特定アイコンを含む第２のメニュー画面であって、前記第１のメニュー画面と比べて前記特定アイコンが選択され易い前記第２のメニュー画面を前記表示部に表示する、コンピュータプログラム。
【請求項９】
前記第１のメニュー画面は、選択可能な表示態様を有する前記年賀アイコンを含み、
前記第２のメニュー画面は、選択不可能な表示態様を有する前記年賀アイコンを含む、請求項８に記載のコンピュータプログラム。
【請求項１０】
前記第１のメニュー画面は、前記年賀アイコンと、前記年賀アイコンよりも下方に位置する前記特定アイコンと、を含み、
前記第２のメニュー画面は、前記年賀アイコンと、前記年賀アイコンよりも上方に位置する前記特定アイコンと、を含む、請求項８又は９に記載のコンピュータプログラム。
【請求項１１】
前記メニュー制御部は、
本日の日付が１年のうちの特定期間内であり、かつ、前記第１の指示が受け付けられなかったと判断される場合に、前記第１のメニュー画面を前記表示部に表示し、
本日の日付が１年のうちの前記特定期間内であり、かつ、前記第１の指示が受け付けられたと判断される場合に、前記第２のメニュー画面を前記表示部に表示し、
本日の日付が１年のうちの前記特定期間とは異なる期間内である場合に、前記第１の指示が受け付けられたのか否かを判断することなく、前記第１のメニュー画面を前記表示部に表示する、請求項８から１０のいずれか一項に記載のコンピュータプログラム。
【請求項１２】
前記特定アイコンは、前記特定画像である寒中見舞い画像の印刷を前記プリンタに実行させるための寒中アイコンであり、
前記メニュー制御部は、
前記第１の指示が受け付けられなかったと判断する場合に、第１の表示態様を有する前記寒中アイコンを含む前記第１のメニュー画面を前記表示部に表示し、
前記第１の指示が受け付けられたと判断する場合に、前記第１の表示態様と比べて選択され易い第２の表示態様を有する前記寒中アイコンを含む前記第２のメニュー画面を前記表示部に表示する、請求項８から１１のいずれか一項に記載のコンピュータプログラム。
【請求項１３】
前記メニュー制御部は、
本日の日付が１年のうちの第１の期間内であり、かつ、前記第１の指示が受け付けられなかったと判断する場合に、前記第１の表示態様を有する前記寒中アイコンを含む前記第１のメニュー画面を前記表示部に表示し、
本日の日付が１年のうちの前記第１の期間内であり、かつ、前記第１の指示が受け付けられたと判断する場合に、前記第１の表示態様を有する前記寒中アイコンを含む前記第２のメニュー画面を前記表示部に表示し
本日の日付が１年のうちの前記第１の期間とは異なる第２の期間内であり、かつ、前記第１の指示が受け付けられなかったと判断する場合に、前記第１の表示態様を有する前記寒中アイコンを含む前記第１のメニュー画面を前記表示部に表示し、
本日の日付が前記第２の期間内であり、かつ、前記第１の指示が受け付けられたと判断する場合に、前記第２の表示態様を有する前記寒中アイコンを含む前記第２のメニュー画面を前記表示部に表示する、請求項１２に記載のコンピュータプログラム。
【請求項１４】
前記コンピュータプログラムは、前記コンピュータを、さらに、
前記端末装置のユーザから、他人から年賀状を受け取ったことを示す第２の指示を受け付けたのか否かを判断する第２の判断部として機能させ、
前記メニュー制御部は、
前記第１の指示が受け付けられたと判断され、かつ、前記第２の指示が受け付けられたと判断される場合に、前記第２の表示態様を有する前記寒中アイコンを含む前記第２のメニュー画面を前記表示部に表示し、
前記第１の指示が受け付けられたと判断され、かつ、前記第２の指示が受け付けられなかったと判断される場合に、前記第１の表示態様を有する前記寒中アイコンを含む前記第２のメニュー画面を前記表示部に表示する、請求項１２又は１３に記載のコンピュータプログラム。
【請求項１５】
前記特定アイコンは、前記特定画像である喪中画像の印刷を前記プリンタに実行させるための喪中アイコンであり、
前記第１の指示は、前記喪中アイコンを選択する指示を含む、請求項１から４又は８から１１のいずれか一項に記載のコンピュータプログラム。
【請求項１６】
前記コンピュータプログラムは、前記コンピュータを、さらに、
前記第１の指示が受け付けられたと判断される場合に、前記ユーザに対するお悔やみを示すメッセージを含む所定画面を前記表示部に表示する所定画面制御部として機能させる、請求項１から１５のいずれか一項に記載のコンピュータプログラム。
【請求項１７】
端末装置であって、
年賀画像の印刷をプリンタに実行させるための年賀アイコンと、前記年賀画像とは異なる特定画像の印刷を前記プリンタに実行させるための特定アイコンと、を含む複数個のアイコンを含むメニュー画面を前記端末装置の表示部に表示するメニュー制御部と、
前記年賀アイコンが選択される場合に、対象の年賀画像の印刷を前記プリンタに実行させる年賀印刷処理部と、
前記特定アイコンが選択される場合に、前記特定画像の印刷を前記プリンタに実行させる特定印刷処理部と、
前記端末装置のユーザから喪中であることを示す第１の指示を受け付けたのか否かを判断する第１の判断部と、を備え、
前記メニュー制御部は、
前記第１の指示が受け付けられなかったと判断される場合に、前記メニュー画面を前記表示部に表示すべき際に、前記年賀アイコンが前記特定アイコンよりも選択され易くするための出力処理を実行し、
前記第１の指示が受け付けられたと判断される場合に、前記メニュー画面を前記表示部に表示すべき際に、前記出力処理を実行しない、端末装置。
【請求項１８】
端末装置であって、
年賀画像の印刷をプリンタに実行させるための年賀アイコンと、前記年賀画像とは異なる特定画像の印刷を前記プリンタに実行させるための特定アイコンと、を含む複数個のアイコンを含む第１のメニュー画面を前記端末装置の表示部に表示するメニュー制御部と、
前記年賀アイコンが選択される場合に、前記年賀画像の印刷を前記プリンタに実行させる年賀印刷処理部と、
前記特定アイコンが選択される場合に、前記特定画像の印刷を前記プリンタに実行させる特定印刷処理部と、
前記端末装置のユーザから喪中であることを示す第１の指示を受け付けたのか否かを判断する第１の判断部と、を備え、
前記メニュー制御部は、
前記第１の指示が受け付けられなかったと判断される場合に、前記第１のメニュー画面を前記表示部に表示し、
前記第１の指示が受け付けられたと判断される場合に、少なくとも前記特定アイコンを含む第２のメニュー画面であって、前記第１のメニュー画面と比べて前記特定アイコンが選択され易い前記第２のメニュー画面を前記表示部に表示する、端末装置。
【発明の詳細な説明】
【技術分野】
【０００１】
本明細書では、年賀画像の印刷をプリンタに実行させるためのコンピュータプログラムを開示する。
【背景技術】
【０００２】
下記の特許文献１には、はがきサイズの印刷媒体に対する年賀画像の印刷の実行をプリンタに指示して、年賀状をプリンタに作成させるプログラムが開示されている。
【先行技術文献】
【特許文献】
【０００３】
【特許文献１】特開２０１６−８１３０３号公報
【発明の概要】
【発明が解決しようとする課題】
【０００４】
日本では、年賀状だけでなく、喪中はがき、寒中見舞いはがき等の様々な種類のはがきを送付する習慣がある。このため、年賀画像の印刷のみならず、年賀画像とは異なる画像（例えば喪中画像）の印刷もプリンタに実行させることが可能なプログラムが期待される。ところで、日本の習慣では、喪中である人は、年賀状を送付しない。
【０００５】
本明細書では、年賀画像を含む複数種の画像の印刷をプリンタに実行させることが可能なコンピュータプログラムにおいて、印刷の指示を受け付けるためのアイコンを含むメニュー画面を表示すべき際に、ユーザが喪中であることを考慮した適切な処理を実行するための技術を提供する。
【課題を解決するための手段】
【０００６】
本明細書によって開示される端末装置のためのコンピュータプログラムは、前記端末装置のコンピュータを、年賀画像の印刷をプリンタに実行させるための年賀アイコンと、前記年賀画像とは異なる特定画像の印刷を前記プリンタに実行させるための特定アイコンと、を含む複数個のアイコンを含むメニュー画面（又は第１のメニュー画面）を前記端末装置の表示部に表示するメニュー制御部と、前記年賀アイコンが選択される場合に、対象の年賀画像の印刷を前記プリンタに実行させる年賀印刷処理部と、前記特定アイコンが選択される場合に、前記特定画像の印刷を前記プリンタに実行させる特定印刷処理部と、前記端末装置のユーザから喪中であることを示す第１の指示を受け付けたのか否かを判断する第１の判断部と、として機能させてもよい。
【０００７】
一つの形態では、前記メニュー制御部は、前記第１の指示が受け付けられなかったと判断される場合に、前記メニュー画面を前記表示部に表示すべき際に、前記年賀アイコンが前記特定アイコンよりも選択され易くするための出力処理を実行し、前記第１の指示が受け付けられたと判断される場合に、前記メニュー画面を前記表示部に表示すべき際に、前記出力処理を実行しない。
【０００８】
例えば、ユーザが喪中である状況において、年賀アイコンが選択され易くするための出力処理が実行されると、ユーザに不快感を与え得る。上記の構成によれば、端末装置は、喪中であることを示す第１の指示を受け付ける場合に、出力処理を実行しない。これにより、ユーザに不快感を与えることを抑制することができる。
【０００９】
また、一つの形態では、前記メニュー制御部は、前記第１の指示が受け付けられなかったと判断される場合に、前記第１のメニュー画面を前記表示部に表示し、前記第１の指示が受け付けられたと判断される場合に、少なくとも前記特定アイコンを含む第２のメニュー画面であって、前記第１のメニュー画面と比べて前記特定アイコンが選択され易い前記第２のメニュー画面を前記表示部に表示する。
【００１０】
上記の構成によれば、端末装置は、喪中であることを示す第１の指示を受け付ける場合に、第２のメニュー画面を表示する。これにより、喪中であるユーザが年賀アイコンより特定のアイコンを選択し易くなり、ユーザの利便性が向上する。
【００１１】
上記のコンピュータプログラムによって実現される端末装置の制御方法も新規で有用である。また、上記の各部を備える端末装置も新規で有用である。
【図面の簡単な説明】
【００１２】
【図１】通信システムの構成を示す。
【図２】年賀画像又は喪中画像が印刷される具体的なケースを示す。
【図３】様々なメニュー画面が表示される具体的なケースを示す。
【図４】端末装置の処理のフローチャートを示す。
【図５】第１実施例の第１のメニュー画面表示処理のフローチャートを示す。
【図６】第１実施例の第２のメニュー画面表示処理のフローチャートを示す。
【図７】指示監視処理のフローチャートを示す。
【図８】スキャン処理のフローチャートを示す。
【図９】第２実施例の第１のメニュー画面表示処理のフローチャートを示す。
【図１０】第２実施例の第２のメニュー画面表示処理のフローチャートを示す。
【発明を実施するための形態】
【００１３】
（第１実施例）
（通信システム２の構成；図１）
図１に示されるように、通信システム２は、端末装置１０と、多機能機１００と、サーバ２００と、を備える。端末装置１０は、スマートフォン、ノートＰＣ（Personal Computerの略）、タブレットＰＣ等の可搬型の端末装置であり、無線ＬＡＮ（Local Area Networkの略）を利用して、多機能機１００と通信可能である。なお、変形例では、端末装置１０は、デスクトップＰＣ等の据置型の端末装置であってもよく、この場合、有線ＬＡＮを利用して、多機能機１００と通信可能であってもよい。多機能機１００は、印刷機能とスキャン機能とを含む多機能を実行可能である。
【００１４】
端末装置１０は、さらに、インターネットに接続可能であり、インターネットを介して、サーバ２００と通信可能である。サーバ２００は、年賀状、喪中はがき、寒中見舞いはがき等を作成するための画像をユーザに提供する。サーバ２００は、本実施例では、多機能機１００のベンダによってインターネット上に設置されるが、変形例では、多機能機１００のベンダとは異なる事業者によって提供されてもよい。以下、年賀状を作成するための画像、喪中はがきを作成するための画像、寒中見舞いはがきを作成するための画像を、それぞれ、「年賀画像」、「喪中画像」、「寒中画像」と呼ぶ。サーバ２００は、複数個の年賀画像を表わす複数個の年賀画像情報と、複数個の喪中画像を表わす複数個の喪中画像情報と、複数個の寒中画像を表わす複数個の寒中画像情報と、を記憶する。
【００１５】
（端末装置１０の構成）
端末装置１０は、表示部１２と、無線ＬＡＮインターフェース１４と、インターネットインターフェース１６と、制御部２０と、を備える。各部１２〜２０は、バス線（符号省略）に接続されている。なお、以下では、インターフェースのことを「Ｉ／Ｆ」と記載する。
【００１６】
表示部１２は、様々な情報を表示するためのディスプレイである。表示部１２は、ユーザの指示を受け付けるための操作部（いわゆるタッチパネル）としても機能してもよい。無線ＬＡＮＩ／Ｆ１４は、無線ＬＡＮに接続して、多機能機１００等の外部装置との無線通信を実行するためのＩ／Ｆである。インターネットＩ／Ｆ１６は、インターネットに接続して、インターネット上のサーバ（例えば２００）との通信を実行するためのＩ／Ｆである。
【００１７】
制御部２０は、ＣＰＵ２２と、メモリ２４と、を備える。ＣＰＵ２２は、メモリ２４に記憶されているプログラム２６、２８に従って、様々な処理を実行する。メモリ２４は、ＯＳ（Operating Systemの略）プログラム２６と、はがきサイズを有する印刷媒体に対する印刷を多機能機１００に実行させるためのはがきアプリケーションプログラム２８（以下では「はがきアプリ２８」と呼ぶ）と、を記憶する。はがきアプリ２８は、多機能機１００のベンダによって提供され、例えば、ベンダによって提供されるインターネット上のサーバ（図示省略）から端末装置１０にインストールされてもよいし、多機能機１００と共に出荷されるメディアから端末装置１０にインストールされてもよい。
【００１８】
はがきアプリ２８は、利用可能な記憶領域をメモリ２４内に確保し、当該記憶領域に宛先テーブル３０と喪中状態フラグ３２とを記憶させる。宛先テーブル３０では、名前、住所等を含む宛先を示す宛先情報と、年賀送付フラグ３０ａと、年賀受取フラグ３０ｂと、喪中送付フラグ３０ｃと、喪中受取フラグ３０ｄと、寒中送付フラグ３０ｅと、が対応付けて記憶される。
【００１９】
年賀送付フラグ３０ａは、対応する宛先に年賀状を送付したことを示す「ＯＮ」と、対応する宛先に年賀状を送付していないことを示す「ＯＦＦ」と、のどちらかの値に設定される。年賀受取フラグ３０ｂは、対応する宛先から年賀状を受け取ったことを示す「ＯＮ」と、対応する宛先から年賀状を受け取っていないことを示す「ＯＦＦ」と、のどちらかの値に設定される。
【００２０】
喪中送付フラグ３０ｃ、喪中受取フラグ３０ｄは、それぞれ、対象のはがきが年賀状ではなく喪中はがきである点を除いて、年賀送付フラグ３０ａ、年賀受取フラグ３０ｂと同様である。また、寒中送付フラグ３０ｅは、対象のはがきが年賀状ではなく寒中見舞いはがきである点を除いて、年賀送付フラグ３０ａと同様である。
【００２１】
喪中状態フラグ３２は、端末装置１０のユーザが喪中であることを示す「ＯＮ」と、喪中でないことを示す「ＯＦＦ」と、のどちらかの値に設定される。宛先テーブル３０内の各フラグ３０ａ〜３０ｅ及び喪中状態フラグ３２は、初期状態では全ての「ＯＦＦ」に設定されている。また、いずれかのフラグが「ＯＮ」に設定された後に、所定のタイミング（例えば２月１日）が到来すると、全てのフラグが「ＯＦＦ」にリセットされる。
【００２２】
ＣＰＵ２２は、はがきアプリ２８が起動されると、はがきアプリ２８に従ってメニュー画面を表示部１２に表示する。特に、ＣＰＵ２２は、はがきアプリ２８が起動される時期及びユーザの状況（例えばユーザが喪中である状況）に応じて、メニュー画面の内容を変える。
【００２３】
図１のメニュー画面ＭＳ１は、デフォルトのメニュー画面であり、主に、年賀状、喪中はがき、及び、寒中見舞いはがきのやりとりが行なわれない期間（例えば２月から１１月）に表示される。メニュー画面ＭＳ１は、年賀アイコンＡ１と、喪中アイコンＡ２と、寒中アイコンＡ３と、スキャンアイコンＡ４と、を含む。年賀アイコンＡ１、喪中アイコンＡ２、寒中アイコンＡ３は、それぞれ、年賀画像、喪中画像、寒中画像の印刷を多機能機１００に実行させるためのアイコンである。スキャンアイコンＡ４は、受け取ったはがきのスキャンを多機能機１００に実行させるためのアイコンである。デフォルトのメニュー画面ＭＳ１では、各アイコンＡ１〜Ａ４が上からこの順で配置されるが、他のメニュー画面では、各アイコンＡ１〜Ａ４が異なる順で配置され得る。また、デフォルトのメニュー画面ＭＳ１では、各アイコンＡ１〜Ａ４が同じサイズを有するが、他のメニュー画面では、他のアイコンとは異なるサイズを有するアイコンが表示され得る。なお、メニュー画面ＭＳ１は、各アイコンＡ１〜Ａ４の他に、さらに、他の種類のはがき（例えば暑中見舞い）を作成するための画像の印刷を多機能機１００に実行させるためのアイコンを含んでもよい。
【００２４】
（具体的なケース；図２及び図３）
図２及び図３を参照して、各装置１０、１００、２００によって実現される具体的なケースを説明する。まず、図２を参照して、年賀画像及び喪中画像の印刷を多機能機１００に実行させるケースを説明する。なお、以下では、端末装置１０のＣＰＵ２２が実行する処理について、理解の容易さの観点から、ＣＰＵ２２を主体として記載せずに、端末装置１０を主体として記載する。
【００２５】
Ｔ１００では、端末装置１０は、年賀状のやりとりが行なわれる１２月１日から１月６日までの期間に、ユーザからはがきアプリ２８を起動するための指示を受け付ける。この場合、Ｔ１０２では、端末装置１０は、問合せ信号をサーバ２００に送信する。問合せ信号は、アプリ２８が起動された日から前の所定期間内（例えば２ヵ月以内）に、新たな年賀画像を表わす新たな年賀画像情報がサーバ２００に記憶されたのか否かをサーバ２００に問合わせるための信号である。
【００２６】
Ｔ１０４では、端末装置１０は、新たな年賀画像情報がサーバ２００に記憶されたことを示す新画像通知をサーバ２００から受信する。なお、上記の所定期間内に新たな年賀画像情報がサーバ２００に記憶されていない場合には、端末装置１０は、サーバ２００から新画像通知を受信しない。
【００２７】
Ｔ１０６では、端末装置１０は、メニュー画面ＭＳ２を表示する。メニュー画面ＭＳ２は、年賀アイコンＡ１の右上にバッジ画像Ｂ１が配置されている点を除いて、デフォルトのメニュー画面ＭＳ１と同様である。バッジ画像Ｂ１は、新たな年賀画像情報がサーバ２００に記憶されたことをユーザに通知するため画像である。これにより、ユーザは、サーバ２００に新たな年賀画像情報が記憶されたことを知ることができる。また、年賀アイコンＡ１にバッジ画像Ｂ１が付されることにより、年賀アイコンＡ１が他のアイコンＡ２等よりも目に付きやすくなり、年賀アイコンＡ１が他のアイコンＡ２等よりも選択され易くなる。なお、端末装置１０は、サーバ２００から新画像通知を受信しない場合には、デフォルトのメニュー画面ＭＳ１を表示する。
【００２８】
Ｔ１１０では、端末装置は、ユーザからメニュー画面ＭＳ２内の年賀アイコンＡ１又は喪中アイコンＡ２の選択を受け付けるこの場合、Ｔ１１２では、端末装置１０は、サムネイル要求をサーバ２００に送信する。Ｔ１１０で年賀アイコンＡ１が選択される場合には、サムネイル要求は、複数個の年賀サムネイル画像ＮＴを表わす年賀サムネイル情報を要求するためのコマンドである。また、Ｔ１１０で喪中アイコンＡ２が選択される場合には、サムネイル要求は、複数個の喪中サムネイル画像ＭＴを表わす喪中サムネイル情報を要求するためのコマンドである。Ｔ１１４では、端末装置１０は、サーバ２００から年賀サムネイル情報又は喪中サムネイル情報を受信して、受信済みのサムネイル情報を利用して、複数個のサムネイル画像（即ち年賀サムネイル画像ＮＴ又は喪中サムネイル画像ＭＴ）を表示する。
【００２９】
Ｔ１１６では、端末装置は、ユーザから複数個のサムネイル画像の中から対象のサムネイル画像の選択を受け付ける。この場合、端末装置１０は、Ｔ１１８において、選択済みの対象のサムネイル画像に対応する画像（即ち年賀画像又は喪中画像）を要求するための画像要求をサーバ２００に送信する。Ｔ１１６で複数個の年賀サムネイル画像ＮＴの中から対象のサムネイル画像が選択された場合には、端末装置１０は、Ｔ１２０において、サーバ２００から対象のサムネイル画像に対応する年賀画像ＮＩを表わす年賀画像情報を受信する。また、Ｔ１１６で複数個の喪中サムネイル画像ＭＴの中から対象のサムネイル画像が選択される場合に、端末装置１０は、Ｔ１２０において、サーバ２００から対象のサムネイル画像に対応する喪中画像ＭＩを表わす喪中画像情報を受信する。
【００３０】
Ｔ１２２では、端末装置１０は、宛先テーブル３０内の複数個の宛先情報を表示する。そして、Ｔ１２４において、端末装置１０は、ユーザから複数個の宛先情報の中から宛先情報ＡＩ１の選択を受け付ける。そして、端末装置１０は、Ｔ１２８において、ユーザから印刷指示を受け付けると、Ｔ１３０において、Ｔ１２０で受信された画像情報と、Ｔ１２２で選択された宛先情報ＡＩ１と、を含む印刷要求を多機能機１００に送信する。これにより、多機能機１００は、Ｔ１３２において、画像情報によって表わされる年賀画像又は喪中画像をはがきの裏面に印刷し、宛先情報ＡＩ１を当該はがきの表面に印刷する。これにより、年賀状又は喪中はがきが作成される。なお、図２のケースでは、年賀状又は喪中はがきが作成される例を説明したが、寒中見舞いはがきも同様に作成される。即ち、Ｔ１１０において、寒中アイコンＡ３が選択されると、Ｔ１１４において、複数個の寒中画像を表わすサムネイル情報が受信され、Ｔ１２０において、寒中画像を表わす画像情報が受信される。
【００３１】
また、端末装置１０は、Ｔ１３４において、宛先テーブル３０（図１参照）を変更する。例えば、Ｔ１１０で年賀アイコンＡ１が選択された場合には、端末装置１０は、Ｔ１２２で選択された宛先情報ＡＩ１に対応付けられている年賀送付フラグ３０ａ（図１参照）を「ＯＦＦ」から「ＯＮ」に変更する。また、例えば、Ｔ１１０で喪中アイコンＡ２が選択された場合には、端末装置１０は、Ｔ１２２で選択された宛先情報ＡＩ１に対応付けられている喪中送付フラグ３０ｃ（図１参照）を「ＯＦＦ」から「ＯＮ」に変更する。さらに、この場合、端末装置１０は、端末装置１０のユーザが喪中であると判断して、喪中状態フラグ３２（図１参照）を「ＯＦＦ」から「ＯＮ」に変更する。
【００３２】
（他のケース；図３）
続いて、図３を参照して、他のケースを説明する。状況１は、本日の日付が年賀状のやりとりが行なわれる１２月１日から１月６日までの期間内であり、かつ、喪中状態フラグ３２が「ＯＦＦ」である（即ちユーザが喪中でない）状況である。状況１では、端末装置１０は、図２のＴ１００〜Ｔ１０６と同様であるＴ２００〜Ｔ２０６の処理を実行して、バッジ画像Ｂ１を含むメニュー画面ＭＳ２を表示する。
【００３３】
また、状況２は、本日の日付が年賀状のやりとりが行われる１２月１日から１月６日までの期間内であり、かつ、喪中状態フラグ３２が「ＯＮ」である（即ちユーザが喪中である）状況である。状況２では、端末装置１０は、Ｔ３００において、ユーザからはがきアプリ２８を起動するための指示を受け付けると、Ｔ３０６において、メニュー画面ＭＳ３を表示する。メニュー画面ＭＳ３は、グレーアウトの表示態様（即ち選択不可能な表示態様）を有する年賀アイコンＡ１１を含む。喪中であるユーザが年賀状を作成する可能性が低いので、年賀アイコンＡ１１をグレーアウトの表示態様にすることで、ユーザは、年賀アイコンＡ１１以外の他のアイコン（例えば喪中アイコンＡ２）を選択し易くなる。このために、ユーザの利便性が向上する。
【００３４】
また、喪中状態フラグ３２が「ＯＮ」である状況２では、端末装置１０は、問合せ信号をサーバ２００に送信しない。この結果、端末装置１０は、サーバ２００から新画像通知を受信しないので、バッジ画像Ｂ１を含まないメニュー画面ＭＳ３を表示する。仮に、メニュー画面ＭＳ３にバッジ画像Ｂ１が表示されると、年賀状を作成する可能性が低い喪中のユーザに不快感を与え得る。本実施例によると、バッジ画像Ｂ１が表示されないので、ユーザに不快感を与えることを抑制することができる。
【００３５】
状況２では、さらに、ユーザが宛先情報ＡＩ２に対応する相手から年賀状を受け取る状況を想定する。この場合、Ｔ３１０において、端末装置１０は、ユーザからメニュー画面ＭＳ３内のスキャンアイコンＡ４の選択を受け付ける。そして、ユーザが、年賀状の表面及び裏面のうち、宛先情報ＡＩ２が記述されている面を多機能機１００がスキャンできるように、年賀状を多機能機１００にセットした後に、端末装置１０は、Ｔ３１２において、スキャン要求を多機能機１００に送信する。
【００３６】
多機能機１００は、Ｔ３１２において、スキャン要求を受信すると、Ｔ３１４において、受信済みのスキャン要求に従って、年賀状のスキャンを実行し、スキャン画像を表わすスキャン画像情報を取得する。そして、Ｔ３１６では、多機能機１００は、取得済みのスキャン画像情報を端末装置１０に送信する。
【００３７】
端末装置１０は、Ｔ３１６において、多機能機１００からスキャン画像情報を受信すると、Ｔ３１８において、受信済みのスキャン画像情報によって表される画像に対してＯＣＲ（Optical Character Recognitionの略）を実行して、宛先情報ＡＩ２を取得する。そして、Ｔ３２０では、端末装置１０は、取得済みの宛先情報ＡＩ２に対応付けられている年賀受取フラグ３０ｂ（図１参照）を「ＯＦＦ」から「ＯＮ」に変更する。
【００３８】
なお、仮に、ユーザが年賀状ではなく喪中はがきを受け取った場合には、Ｔ３１０〜Ｔ３１６において、喪中はがきから得られるスキャン画像情報が端末装置１０に送信される。この場合、端末装置１０は、Ｔ３２０において、宛先情報ＡＩ２に対応付けられている喪中受取フラグ３０ｄ（図１参照）を「ＯＦＦ」から「ＯＮ」に変更する。
【００３９】
また、状況３は、状況２のＴ３００〜Ｔ３２０が実行された後の状況である。そして、状況３は、本日の日付が寒中見舞いはがきのやりとりが行なわれる１月７日から１月３１日までの期間内であり、かつ、宛先情報ＡＩ２に対応付けられている年賀受取フラグ３０ｂが「ＯＮ」であり（Ｔ３２０参照）、かつ、宛先情報ＡＩ２に対応付けられている喪中送付フラグ３０ｃが「ＯＦＦ」である（即ちユーザが宛先情報ＡＩ２に喪中はがきを送付していない）状況である。状況３では、端末装置１０は、Ｔ４００において、ユーザからはがきアプリ２８を起動するための指示を受け付けると、Ｔ４０６において、メニュー画面ＭＳ５を表示する。メニュー画面ＭＳ５は、他のアイコンＡ１１、Ａ１、Ａ４よりも大きいサイズを有する寒中アイコンＡ１３を含む。これにより、喪中はがきを宛先情報ＡＩ２に送付しておらず、かつ、宛先情報ＡＩ２から年賀状を受け取った状況において、ユーザが他のアイコンＡ１１、Ａ１、Ａ４よりも寒中アイコンＡ１３を選択し易くなり、ユーザの利便性が向上する。
【００４０】
端末装置１０は、Ｔ４１０において、ユーザからメニュー画面ＭＳ５内の寒中アイコンＡ１３の選択を受け付けると。図示省略しているが、図２のＴ１１２〜Ｔ１２２と同様の処理を実行し、Ｔ４２４において、ユーザから宛先情報ＡＩ２の選択を受け付ける。そして、端末装置１０は、Ｔ４３０において、寒中画像を表わす画像情報と宛先情報ＡＩ２とを含む印刷要求を多機能機１００に送信する。これにより、Ｔ４３２では、多機能機１００において、寒中画像の印刷が実行され、寒中見舞いはがきが作成される。そして、Ｔ４３４では、端末装置１０は、宛先情報ＡＩ２に対応付けられている寒中送付フラグ３０ｅ（図１参照）を「ＯＦＦ」から「ＯＮ」に変更する。
【００４１】
（端末装置の処理；図４）
図４を参照して、続いて、図２及び図３の各メニュー画面を表示するために、端末装置１０のＣＰＵ２２がはがきアプリ２８に従って実行する処理の内容を説明する。図４の処理は、はがきアプリ２８が起動されることをトリガとして開始される。
【００４２】
Ｓ１０では、ＣＰＵ２２は、本日の日付が１年のうちの１２月１日から１月６日の期間内（即ち年賀状又は喪中はがきのやりとりが行われる期間内）であるのか否かを判断する。ＣＰＵ２２は、本日の日付が当該期間内であると判断する場合（Ｓ１０でＹＥＳ）に、Ｓ１００において、第１のメニュー画面表示処理（図５参照）を実行する。Ｓ１００が終了すると、ＣＰＵ２２は、Ｓ４００において、選択監視処理（図７参照）を実行する。Ｓ４００が終了すると、Ｓ１０に戻る。
【００４３】
ＣＰＵ２２は、本日の日付が１２月１日から１月６日の期間内でないと判断する場合（Ｓ１０でＮＯ）に、Ｓ２０において、本日の日付が１月７日から１月３１日の期間内（即ち寒中見舞いはがきのやりとりが行われる期間内）であるのか否かを判断する。ＣＰＵ２２は、本日の日付が当該期間内であると判断する場合（Ｓ２０でＹＥＳ）に、Ｓ２００において、第２のメニュー画面表示処理（図６参照）を実行する。Ｓ２００が終了するとＳ４００に進む。
【００４４】
ＣＰＵ２２は、本日の日付が１月７日から１月３１日の期間内でないと判断する場合、即ち、本日の日付が２月１日から１１月３０日の期間内であると判断する場合（Ｓ２０でＮＯ）に、デフォルトのメニュー画面ＭＳ１を表示部１２に表示する。Ｓ３００が終了するとＳ４００に進む。
【００４５】
（第１のメニュー画面表示処理；図５）
図５を参照して、図４のＳ１００の第１のメニュー画面表示処理を説明する。Ｓ１０２では、ＣＰＵ２２は、喪中状態フラグ３２が「ＯＮ」であるのか否かを判断する。ＣＰＵ２２は、喪中状態フラグ３２が「ＯＦＦ」であると判断する場合（Ｓ１０２でＮＯ）に、Ｓ１０４に進み、喪中状態フラグ３２が「ＯＮ」であると判断する場合（Ｓ１０２でＹＥＳ）に、Ｓ１１４に進む。
【００４６】
Ｓ１０４では、ＣＰＵ２２は、宛先テーブル３０内の全ての年賀送付フラグ３０ａのうちのいずれかが「ＯＮ」であるのか否かを判断する。ＣＰＵ２２は、全ての年賀送付フラグ３０ａのうちのいずれかが「ＯＮ」であると判断する場合（Ｓ１０４でＹＥＳ）に、即ち、ユーザが少なくとも１枚の年賀状を送付済みであると推測される場合に、Ｓ１１０に進む。一方、ＣＰＵ２２は、全ての年賀送付フラグ３０ａが「ＯＦＦ」であると判断する場合（Ｓ１０４でＮＯ）、即ち、ユーザが１枚の年賀状も送付していないと推測される場合に、Ｓ１０６に進む。
【００４７】
Ｓ１０６では、ＣＰＵ２２は、新たな年賀画像情報がサーバ２００に記憶されたのか否かをサーバ２００に問合わせるための問合せ信号をサーバ２００に送信する（図２のＴ１０２、図３のＴ２０２参照）。
【００４８】
Ｓ１０８では、ＣＰＵ２２は、Ｓ１０６の問合せ信号に対する応答として、サーバ２００から新画像通知（図２のＴ１０４、図３のＴ２０４参照）を受信したのか否かを判断する。ＣＰＵ２２は、サーバ２００から新画像通知を受信したと判断する場合（Ｓ１０８でＹＥＳ）に、Ｓ１１２に進み、サーバ２００から新画像通知を受信しなかったと判断する場合（Ｓ１０８でＮＯ）に、Ｓ１１０に進む。
【００４９】
Ｓ１１０では、ＣＰＵ２２は、デフォルトのメニュー画面ＭＳ１を表示部１２に表示する。Ｓ１１０が終了すると図５の処理が終了する。
【００５０】
Ｓ１１２では、ＣＰＵ２２は、年賀アイコンＡ１の右上にバッジ画像Ｂ１が配置されているメニュー画面ＭＳ２を表示部１２に表示する（図２のＴ１０６、図３のＴ２０６参照）。バッジ画像Ｂ１が表示されるので、ユーザが年賀アイコンＡ１を選択し易くなる。Ｓ１１２が終了すると図５の処理が終了する。
【００５１】
Ｓ１１４では、ＣＰＵ２２は、グレーアウトの表示態様を有する年賀アイコンＡ１１を含むメニュー画面ＭＳ３を表示部１２に表示する（図３のＴ３０６参照）。年賀アイコンＡ１１がグレーアウトの表示態様を有するので、ユーザが年賀アイコンＡ１以外のアイコンを選択し易くなる。また、バッジ画像Ｂ１が表示されないので、喪中であって年賀状を送付する可能性が低いユーザに不快感を与えることを抑制することができる。Ｓ１１４が終了すると図５の処理が終了する。
【００５２】
（第２のメニュー画面表示処理；図６）
図６を参照して、図４のＳ２００の第２のメニュー画面表示処理を説明する。Ｓ２０２では、ＣＰＵ２２は、宛先テーブル３０内の全ての喪中受取フラグ３０ｄのうちのいずれかが「ＯＮ」であるのか否かを判断する。ＣＰＵ２２は、全ての喪中受取フラグ３０ｄのうちのいずれかが「ＯＮ」であると判断する場合（Ｓ２０２でＹＥＳ）、即ち、ユーザが少なくとも１枚の喪中はがきを受け取っていると推測される場合に、Ｓ２２０に進む。一方、ＣＰＵ２２は、全ての喪中受取フラグ３０ｄが「ＯＦＦ」であると判断する場合（Ｓ２０２でＮＯ）、即ち、ユーザが１枚の喪中はがきも受け取っていないと推測される場合に、Ｓ２０４に進む。
【００５３】
Ｓ２０４では、ＣＰＵ２２は、喪中状態フラグ３２が「ＯＮ」であるのか否かを判断する。ＣＰＵ２２は、喪中状態フラグ３２が「ＯＦＦ」であると判断する場合（Ｓ２０４でＮＯ）に、Ｓ２１０において、デフォルトのメニュー画面ＭＳ１を表示部１２に表示する。Ｓ２１０が終了すると図６の処理が終了する。一方、ＣＰＵ２２は、喪中状態フラグ３２が「ＯＮ」であると判断する場合（Ｓ２０４でＹＥＳ）に、Ｓ２０８に進む。
【００５４】
Ｓ２０８では、ＣＰＵ２２は、「ＯＦＦ」を示す喪中送付フラグ３０ｃ及び「ＯＮ」を示す年賀受取フラグ３０ｂに対応付けられている宛先情報（以下では「特定宛先情報」と呼ぶ）が宛先テーブル３０内に存在するのか否かを判断する。ＣＰＵ２２は、特定宛先情報が存在すると判断する場合（Ｓ２０８でＹＥＳ）に、Ｓ２１２に進み、特定宛先情報が存在しないと判断する場合（Ｓ２０８でＮＯ）に、Ｓ２１４に進む。
【００５５】
Ｓ２１２が実行される状況では、ユーザが喪中である（Ｓ２０４でＹＥＳ）。従って、Ｓ２１２では、ＣＰＵ２２は、グレーアウトの表示態様を有する年賀アイコンＡ１１を含むメニュー画面ＭＳ５を表示部１２に表示する。また、特定宛先情報が存在する（Ｓ２０８でＹＥＳ）ということは、喪中であるユーザが、喪中はがきを送付していない相手から年賀状を受け取ったことを意味する。このような状況では、ユーザは、通常、寒中見舞いはがきを送付すべきである。従って、Ｓ２１２では、ＣＰＵ２２は、各アイコンＡ１１、Ａ２、Ａ４よりも大きいサイズを有する寒中アイコンＡ１３を含むメニュー画面ＭＳ５を表示部１２に表示する（図３のＴ４０６参照）。寒中アイコンＡ１３が大きいサイズを有するので、ユーザが寒中アイコンＡ１３を選択し易くなる。Ｓ２１２が終了すると図６の処理が終了する。
【００５６】
Ｓ２１４が実行される状況では、ユーザが喪中である（Ｓ２０４でＹＥＳ）。従って、Ｓ２１４では、ＣＰＵ２２は、グレーアウトの表示態様を有する年賀アイコンＡ１１を含むメニュー画面ＭＳ３を表示部１２に表示する。特定宛先情報が存在しない（Ｓ２０８でＮＯ）ので、ユーザが寒中見舞いはがきを送付すべき状況ではない。従って、メニュー画面ＭＳ３では、各アイコンＡ１１、Ａ２〜Ａ４が同じサイズを有する。Ｓ２１４が終了すると図６の処理が終了する。
【００５７】
また、Ｓ２２０では、ＣＰＵ２２は、喪中状態フラグ３２が「ＯＮ」であるのか否かを判断する。ＣＰＵ２２は、喪中状態フラグ３２が「ＯＦＦ」であると判断する場合（Ｓ２２０でＮＯ）に、Ｓ２２４に進み、喪中状態フラグ３２が「ＯＮ」であると判断する場合（Ｓ２２０でＹＥＳ）に、Ｓ２２２に進む。
【００５８】
Ｓ２２２が実行される状況では、ユーザが喪中である（Ｓ２２０でＹＥＳ）。従って、Ｓ２２２では、ＣＰＵ２２は、グレーアウトの表示態様を有する年賀アイコンＡ１１を含むメニュー画面ＭＳ５を表示部１２に表示する。また、日本には、喪中の相手から喪中はがきを受け取った場合（Ｓ２０２でＹＥＳ）には、寒中見舞いはがきを送付する習慣がある。従って、Ｓ２２２では、ＣＰＵ２２は、各アイコンＡ１１、Ａ２、Ａ４よりも大きいサイズを有する寒中アイコンＡ１３を含むメニュー画面ＭＳ５を表示部１２に表示する。Ｓ２２２が終了すると図６の処理が終了する。
【００５９】
Ｓ２２４が実行される状況では、ユーザが喪中でない（Ｓ２０４でＮＯ）。従って、Ｓ２２４では、ＣＰＵ２２は、グレーアウトでない表示態様（即ち選択可能な表示態様）を有する年賀アイコンＡ１を含むメニュー画面ＭＳ４を表示部１２に表示する。また、寒中見舞いはがきを送付すべき状況であるので（Ｓ２０２でＹＥＳ）、Ｓ２２４では、ＣＰＵ２２は、各アイコンＡ１、Ａ２、Ａ４よりも大きいサイズを有する寒中アイコンＡ１３を含むメニュー画面ＭＳ４を表示部１２に表示する。Ｓ２２４が終了すると図６の処理が終了する。
【００６０】
（指示監視処理；図７）
図７を参照して、図４のＳ４００の指示監視処理を説明する。ＣＰＵ２２は、Ｓ４１０、Ｓ４２０、Ｓ４３０、Ｓ４４０において、それぞれ、図４のＳ１００〜Ｓ３００で表示されたメニュー画面内の年賀アイコン、喪中アイコン、寒中アイコン、スキャンアイコンが選択されることを監視する。
【００６１】
ＣＰＵ２２は、年賀アイコンが選択される場合に、Ｓ４１０でＹＥＳと判断して、Ｓ４１２において、年賀印刷処理を実行する。年賀印刷処理は、図２のＴ１１２〜Ｔ１３０の処理を含む。そして、Ｓ４１４では、ＣＰＵ２２は、表示部１２に表示された複数個の宛先情報の中から選択された１個以上の宛先情報のそれぞれについて、当該宛先情報に対応付けられている年賀送付フラグ３０ａを「ＯＦＦ」から「ＯＮ」に変更する（図２のＴ１３４参照）。Ｓ４１４が終了すると図７の処理が終了する。
【００６２】
ＣＰＵ２２は、喪中アイコンが選択される場合に、Ｓ４２０でＹＥＳと判断して、Ｓ４２２において、喪中印刷処理を実行する。喪中印刷処理は、図２のＴ１１２〜Ｔ１３０の処理を含む。そして、Ｓ４２４では、ＣＰＵ２２は、表示部１２に表示された複数個の宛先情報の中から選択された１個以上の宛先情報のそれぞれについて、当該宛先情報に対応付けられている喪中送付フラグ３０ｃを「ＯＦＦ」から「ＯＮ」に変更する（図２のＴ１２４、Ｔ１３４参照）。さらに、ＣＰＵ２２は、喪中状態フラグ３２を「ＯＦＦ」から「ＯＮ」に変更する（Ｔ１３４参照）。
【００６３】
Ｓ４２６では、ＣＰＵ２２は、端末装置１０のユーザに対するお悔みを示すメッセージＭ１を含むお悔み画面ＳＣ１を表示部１２に表示する。これにより、喪中であるユーザの気持ちに寄り添った画面を表示することができる。Ｓ４２６が終了すると図７の処理が終了する。
【００６４】
ＣＰＵ２２は、寒中アイコンが選択される場合に、Ｓ４３０でＹＥＳと判断して、Ｓ４３２において、寒中印刷処理を実行する。寒中印刷処理は、図３のＴ４２４〜Ｔ４３０の処理を含む。そして、Ｔ４３４では、ＣＰＵ２２は、表示部１２に表示された複数個の宛先情報の中から選択された１個以上の宛先情報のそれぞれについて、当該宛先情報に対応付けられている寒中送付フラグ３０ｅを「ＯＦＦ」から「ＯＮ」に変更する（図２のＴ４３４参照）。Ｓ４３４が終了すると図７の処理が終了する。
【００６５】
ＣＰＵ２２は、スキャンアイコンが選択される場合に、Ｓ４４０でＹＥＳと判断して、Ｓ５００において、スキャン処理（図８参照）を実行する。Ｓ５００が終了すると図７の処理が終了する。
【００６６】
（スキャン処理；図８）
図８を参照して、図７のＳ５００のスキャン処理を説明する。Ｓ５０２では、ＣＰＵ２２は、スキャン要求を多機能機１００に送信する（図３のＴ３１２参照）。
【００６７】
Ｓ５０４では、ＣＰＵ２２は、Ｓ５０２で送信されたスキャン要求に対する応答として、スキャン画像情報を受信する（Ｔ３１６参照）。そして、ＣＰＵ２２は、受信済みのスキャン画像情報によって表される画像に対してＯＣＲを実行して、当該画像に含まれる宛先情報を取得する（Ｔ３１８参照）。
【００６８】
Ｓ５０６では、ＣＰＵ２２は、Ｓ５０４で取得された宛先情報が宛先テーブル３０に含まれるのか否かを判断する。ＣＰＵ２２は、取得済みの宛先情報が宛先テーブル３０に含まないと判断する場合（Ｓ５０６でＮＯ）に、Ｓ５０８に進み、取得済みの宛先情報が宛先テーブル３０に含まれると判断する場合（Ｓ５０６でＹＥＳ）に、Ｓ５０８をスキップして、Ｓ５１０に進む。
【００６９】
Ｓ５０８では、ＣＰＵ２２は、取得済みの宛先情報を宛先テーブル３０に登録する。これにより、新たな宛先情報が宛先テーブル３０に登録される。ユーザが宛先情報を端末装置１０に入力せずに済むので、ユーザの利便性が向上する。
【００７０】
Ｓ５１０では、ＣＰＵ２２は、スキャンされたはがきが年賀状であるのか喪中はがきであるのかをユーザに確認するための確認画面ＳＣ２を表示部１２に表示する。確認画面ＳＣ２は、年賀状と喪中はがきのうちの一方を選択するためのチェックボックスＣＢを含む。
【００７１】
Ｓ５１２では、ＣＰＵ２２は、チェックボックスＣＢ内の年賀状が選択されたのか喪中はがきが選択されたのかを判断する。ＣＰＵ２２は、年賀状が選択されたと判断する場合（Ｓ５１２でＹＥＳ）に、Ｓ５１４に進み、喪中はがきが選択されたと判断する場合（Ｓ５１２でＮＯ）に、Ｓ５１６に進む。
【００７２】
Ｓ５１４では、ＣＰＵ２２は、Ｓ５０４で取得された宛先情報に対応付けられている年賀受取フラグ３０ｂを「ＯＦＦ」から「ＯＮ」に変更する。一方、Ｓ５１６では、ＣＰＵ２２は、Ｓ５０４で取得された宛先情報に対応付けられている喪中受取フラグ３０ｄを「ＯＦＦ」から「ＯＮ」に変更する。Ｓ５１４又はＳ５１６が終了すると、図８の処理が終了する。
【００７３】
（本実施例の効果）
仮に、ユーザが喪中である状況（例えば図３の状況２）において、年賀アイコン１を強調するためのバッジ画像Ｂ１を含むメニュー画面ＭＳ２が表示されると、ユーザに不快感を与え得る。本実施例によれば、端末装置１０は、喪中画像を印刷するための印刷指示を受け付けると（図２のＴ１２８）、喪中状態フラグ３２を「ＯＦＦ」から「ＯＮ」に変更する（Ｔ１３４の「喪中画像の印刷の場合」）。そして、端末装置１０は、喪中状態フラグ３２が「ＯＮ」である場合、即ち、ユーザが喪中である場合に、バッジ画像Ｂ１を含まないメニュー画面ＭＳ３を表示する（図３のＴ３０６）。これにより、ユーザに不快感を与えることを抑制することができる。
【００７４】
また、端末装置１０は、喪中状態フラグ３２が「ＯＮ」である場合、即ち、ユーザが喪中である場合に、グレーアウトの表示態様を有する年賀アイコンＡ１１を含むメニュー画面ＭＳ３を表示する（図３のＴ３０６）。これにより、喪中であるユーザが年賀アイコンＡ１１以外のアイコンＡ２〜Ａ４を選択し易くなり、ユーザの利便性が向上する。
【００７５】
また、端末装置１０は、喪中状態フラグ３２が「ＯＦＦ」である場合（図５のＳ１０２でＮＯ）に、問合せ信号をサーバ２００に送信し（Ｓ１０６）、喪中状態フラグ３２が「ＯＮ」である場合（Ｓ１０２でＹＥＳ）に、問合せ信号をサーバ２００に送信しない。これに代えて、喪中状態フラグ３２が「ＯＮ」であるのか「ＯＦＦ」であるのかに関わらず、問合せ信号をサーバ２００に送信する比較例が想定される。比較例では、端末装置１０は、問合せ信号に対する応答としてサーバ２００から新画像通知を受信し、かつ、喪中状態フラグ３２が「ＯＦＦ」である場合に、バッジ画像Ｂ１を含むメニュー画面ＭＳ２を表示し、サーバ２００から新画像通知を受信し、かつ、喪中状態フラグ３２が「ＯＮ」である場合に、バッジ画像Ｂ１を含まないメニュー画面ＭＳ３を表示する。これに対し、本実施例では、喪中状態フラグ３２が「ＯＮ」である場合に問合せ信号を送信しないので、比較例と比べて、端末装置１０の通信負荷を低減することができる。なお、変形例では、上記の比較例の構成を採用してもよい。
【００７６】
また、端末装置１０は、本日の日付が１２月１日から１月６日の期間内である場合（図４のＳ１０でＹＥＳ）に、第１のメニュー画面表示処理を実行する（Ｓ１００）。これにより、端末装置１０は、年賀状のやりとりが行なわれる期間内に、年賀アイコンＡ１を強調するためのバッジ画像Ｂ１を含むメニュー画面ＭＳ２を表示することができる（図５のＳ１１２）。一方、端末装置１０は、本日の日付が１２月１日から１月６日以外である場合（図４のＳ１０でＮＯ）に、バッジ画像を表示しない（Ｓ２００、Ｓ３００）。これにより、端末装置１０は、年賀状のやりとりが行なわれない期間内に、年賀アイコンＡ１を強調するためのバッジ画像Ｂ１が表示されることを抑制することができる。
【００７７】
また、端末装置１０は、本日の日付が１月７日から１月３１日の期間内である場合（図４のＳ２０でＹＥＳ）に、第２のメニュー画面表示処理を実行する（Ｓ２００）。第２のメニュー画面表示処理では、端末装置１０は、大きいサイズを有する寒中アイコンＡ１３を含むメニュー画面ＭＳ４又はＭＳ５を表示する。これにより、寒中見舞いはがきのやりとりが行なわれる期間内に、ユーザが寒中アイコンＡ１３を選択し易くなり、ユーザの利便性が向上する。特に、端末装置１０は、喪中状態フラグ３２が「ＯＮ」である場合（図６のＳ２０４でＹＥＳ、Ｓ２２０でＹＥＳ）に、大きいサイズを有する寒中アイコンＡ１３を含むメニュー画面ＭＳ５を表示するが（Ｓ２１２、Ｓ２２２）、喪中状態フラグ３２が「ＯＦＦ」である場合（図６のＳ２０４でＮＯ、Ｓ２２０でＮＯ）に、通常のサイズを有する寒中アイコンＡ３を含むメニュー画面ＭＳ１又はＭＳ４を表示する。このように、喪中である人が寒中見舞いはがきを送付するという習慣に合わせて、寒中アイコンを大きいサイズにするのか通常のサイズにするのかを適切に切替えることができる。また、端末装置１０は、「ＯＦＦ」を示す喪中送付フラグ３０ｃ及び「ＯＮ」を示す年賀受取フラグ３０ｂに対応付けられている特定宛先情報が存在する場合（Ｓ２０８でＹＥＳ）に、大きいサイズを有する寒中アイコンＡ１３を含むメニュー画面ＭＳ５を表示する（Ｓ２１２）。このように、喪中はがきを送付していない相手から年賀状を受け取った状況、即ち、寒中見舞いはがきを送付すべき状況において、寒中アイコンＡ１３が選択され易くなるので、ユーザの利便性が向上する。
【００７８】
（対応関係）
多機能機１００が、「プリンタ」の一例である。メニュー画面ＭＳ１及びＭＳ４が、「第１のメニュー画面」の一例である。メニュー画面ＭＳ３及びＭＳ５が、「第２のメニュー画面」の一例である。図１の喪中アイコンＡ２又は寒中アイコンＡ３が、「特定アイコン」の一例である。図２のＴ１１０で喪中アイコンが選択された後に受け付けられるＴ１２８の印刷指示が、「第１の指示」の一例である。図８のＳ５１０の確認画面ＳＣ２内で年賀状を選択することが、「第２の指示」の一例である。図５のＳ１１２でバッジ画像Ｂ１を含むメニュー画面ＭＳ２を表示することが、「出力処理」の一例である。図２のＴ１０４で受信される新画像通知が、「所定情報」の一例である。１２月１日から１月６日までの期間、１月７日から１月３１日までの期間、２月１日から１１月３０日までの期間が、それぞれ、「第１の期間」、「第２の期間」、「異なる期間」の一例である。１２月１日から１月３１日までの期間が、「特定期間」の一例である。通常サイズを有する寒中アイコンＡ３、大きいサイズを有する寒中アイコンＡ１３が、それぞれ、「第１の表示態様」、「第２の表示態様」の一例である。グレーアウトでない年賀アイコンＡ１、グレーアウトの年賀アイコンＡ１１が、それぞれ、「選択可能な表示態様」、「選択不可能な表示態様」の一例である。図７のお悔み画面ＳＣ１が、「所定画面」の一例である。
【００７９】
（第２実施例）
本実施例では、図４のＳ１００及びＳ２００の第１及び第２のメニュー画面表示処理において、図５及び図６の処理に代えて、図９及び図１０の処理が実行される。
【００８０】
（第１のメニュー画面表示処理；図９）
図９を参照して、本実施例の第１のメニュー画面表示処理を説明する。Ｓ１５２は、図５のＳ１０２と同様である。ＣＰＵ２２は、喪中状態フラグ３２が「ＯＦＦ」であると判断する場合（Ｓ１５２でＮＯ）に、Ｓ１６０に進む。Ｓ１６０は、図５のＳ１１０と同様である。一方、ＣＰＵ２２は、喪中状態フラグ３２が「ＯＮ」であると判断する場合（Ｓ１５２でＹＥＳ）に、Ｓ１６４に進む。
【００８１】
Ｓ１６４では、ＣＰＵ２２は、メニュー画面ＭＳ１２を表示部１２に表示する。上記したように、デフォルトのメニュー画面ＭＳ１では、年賀アイコンＡ１が、喪中アイコンＡ２及び寒中アイコンＡ３よりも上方に位置している。一方、メニュー画面ＭＳ１２では、喪中アイコンＡ２、寒中アイコンＡ３、及び、年賀アイコンＡ１が、上からこの順で配置されている。年賀アイコンＡ１が、喪中アイコンＡ２及び寒中アイコンＡ３より下方に位置しているので、ユーザは、年賀アイコンＡ１以外のアイコンＡ２、Ａ３を選択し易い。Ｓ１６０又はＳ１６４の処理が終了すると、図９の処理が終了する。
【００８２】
（第２のメニュー画面表示処理；図１０）
図１０を参照して、本実施例の第１のメニュー画面表示処理を説明する。Ｓ２５２〜Ｓ２５８、Ｓ２７０は、図６のＳ２０２〜Ｓ２０８、Ｓ２２０と同様である。ＣＰＵ２２は、喪中でないユーザが、喪中はがきを受け取っていない場合（Ｓ２５２でＮＯ、Ｓ２５４でＮＯ）に、Ｓ２６０を実行する。Ｓ２６０は、図６のＳ２１０と同様である。
【００８３】
また、ＣＰＵ２２は、喪中であるユーザが、喪中はがきを受け取っておらず、かつ、喪中はがきを送付していない相手から年賀状を受け取った場合（Ｓ２５２でＮＯ、Ｓ２５４でＹＥＳ、Ｓ２５８でＹＥＳ）に、Ｓ２６２において、メニュー画面ＭＳ１３を表示部１２に表示する。メニュー画面ＭＳ１３では、寒中アイコンＡ３、喪中アイコンＡ２、及び、年賀アイコンＡ１は、上からこの順で配置されている。寒中見舞いはがきを送付すべき状況において、寒中アイコンＡ３が最も上に配置されるので、ユーザが寒中アイコンＡ３を選択し易い。
【００８４】
Ｓ２６４では、ＣＰＵ２２は、図９のＳ１６４と同様に、メニュー画面ＭＳ１２を表示部１２に表示する。喪中であるユーザが、年賀アイコンＡ１以外の各アイコンＡ２、Ａ３を選択し易い。
【００８５】
また、ＣＰＵ２２は、喪中であるユーザが、喪中はがきを受け取った場合（Ｓ２５２でＹＥＳ、Ｓ２７０でＹＥＳ）に、Ｓ２７２において、メニュー画面ＭＳ１３を表示部１２に表示する。喪中であるユーザが、年賀アイコンＡ１以外の各アイコンＡ３、Ａ２を選択し易い。特に、寒中見舞いはがきを送付すべき状況において、寒中アイコンＡ３が最も上に配置されるので、ユーザが寒中アイコンＡ３を選択し易い。
【００８６】
また、ＣＰＵ２２は、喪中でないユーザが、喪中はがきを受け取った場合（Ｓ２５２でＹＥＳ、Ｓ２７０でＮＯ）に、Ｓ２７４において、メニュー画面ＭＳ１４を表示部１２に表示する。メニュー画面ＭＳ１４では、寒中アイコンＡ３、年賀アイコンＡ１、及び、喪中アイコンＡ２は、上からこの順で配置されている。喪中でないユーザが喪中アイコンＡ２より寒中アイコンＡ３及び年賀アイコンＡ１を選択し易い。特に、年賀状を送付すべき時期ではなく、寒中見舞いはがきを送付すべき時期であるので、寒中アイコンＡ３が最も上に配置される。このために、ユーザが寒中アイコンＡ３を選択し易い。
【００８７】
（本実施例の効果）
本実施例の構成によれば、端末装置１０は、喪中状態フラグ３２が「ＯＮ」である場合、即ち、ユーザが喪中である場合に、年賀アイコンＡ１が、喪中アイコンＡ２及び寒中アイコンＡ３より下方に位置しているメニュー画面ＭＳ１２を表示する（図９のＳ１６４）。喪中であるユーザが年賀アイコンＡ１より他のアイコンＡ２、Ａ３を選択し易くなり、ユーザの利便性が向上する。図９のメニュー画面ＭＳ１が、「第１のメニュー画面」の一例である。図９のメニュー画面ＭＳ１２、図１０のメニュー画面ＭＳ１３が、「第２のメニュー画面」の一例である。年賀アイコンＡ１、喪中アイコンＡ２、寒中アイコンＡ３の順に上から配置されることが、「第１の表示態様」の一例である。寒中アイコンＡ３、喪中アイコンＡ２、年賀アイコンＡ１の順に上から配置されることが、「第２の表示態様」の一例である。
【００８８】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００８９】
（変形例１）上記の各実施例では、端末装置１０は、喪中アイコンＡ２が選択された後に、ユーザから印刷指示を受け付ける場合に、喪中状態フラグ３２を「ＯＦＦ」から「ＯＮ」に変更する（図２のＴ１２８、Ｔ１３４）。これに代えて、端末装置１０は、ユーザに喪中であるのか否かを確認するための画面を表示し、当該画面で喪中であることが選択される場合に、喪中状態フラグ３２を「ＯＦＦ」から「ＯＮ」に変更してもよい。本変形例では、上記の画面で喪中であることを選択することが、「第１の指示」の一例である。また、端末装置１０は、Ｔ１２８の印刷指示に代えて、喪中画像情報と宛先情報ＡＩ１を含むファイルをメモリ２４に記憶させる指示を受け付ける場合に、喪中状態フラグ３２を「ＯＦＦ」から「ＯＮ」に変更してもよい。本変形例では、上記のファイルをメモリ２４に記憶させる指示が、「第１の指示」の一例である。
【００９０】
（変形例２）上記の第１実施例では、端末装置１０は、サーバ２００から新画像通知を受信する場合に、バッジ画像Ｂ１を含むメニュー画面ＭＳ２を表示する（図２のＴ１０６）。これに代えて、端末装置１０は、メニュー画面ＭＳ１を表示するとともに、新たな年賀画像情報がサーバ２００に記憶されたことを示す音声を出力してもよい。本変形例では、上記の音声を出力することが、「出力処理」の一例である。
【００９１】
（変形例３）通信システム２は、サーバ２００を備えなくてもよい。この場合、はがきアプリ２８は、複数個の年賀画像情報を含んでもよい。そして、ＣＰＵ２２は、喪中状態フラグ３２が「ＯＦＦ」である場合（図５のＳ１０２でＮＯ）に、問合せ信号の送信を実行することなく、メニュー画面ＭＳ２を表示部１２に表示してもよい。この場合、バッジ画像Ｂ１は、本日の日付が年賀状の送付を行う期間であることをユーザに通知するための画像であってもよい。本変形例では、「受信部」を省略可能である。
【００９２】
（変形例４）上記の第１実施例では、サーバ２００は、端末装置１０から問合せ信号を受信する場合に、端末装置１０に新画像通知を送信する（図２のＴ１０２、Ｔ１０４）。これに代えて、サーバ２００は、端末装置１０から問合せ信号を受信することなく、新たな年賀画像を表わす新たな年賀画像情報がサーバ２００に記憶されたと判断する場合に、端末装置１０に新画像通知を送信してもよい。この場合、端末装置１０は、図５の処理において、喪中状態フラグ３２が「ＯＮ」である場合（Ｓ１０２でＹＥＳ）に、サーバ２００から新画像通知が受信されていても、バッジ画像Ｂ１を含まないメニュー画面ＭＳ３を表示してもよい。また、さらに、端末装置１０は、喪中状態フラグ３２が「ＯＮ」である場合（Ｓ１０２でＹＥＳ）に、新画像通知の送信を停止させるためのコマンドをサーバ２００に送信してもよい。一般的に言えば、「メニュー制御部」は、問合せ信号をサーバに送信しなくてもよい。
【００９３】
（変形例５）ＣＰＵ２２は、図４のＳ１０、Ｓ２０、Ｓ３０の監視を実行しなくてもよい。この場合、ＣＰＵ２２は、Ｓ１００とＳ４００を実行すればよい。一般的に言えば、「メニュー制御部」は、本日の日付が第１の期間（又は特定期間）内であるのか否かの判断を実行しなくてもよい。
【００９４】
（変形例６）ＣＰＵ２２は、Ｓ２０及びＳ２００の処理を実行しなくてもよい。一般的に言えば、「メニュー制御部」は、第２の表示態様を有する寒中アイコンを含むメニュー画面（又は第２のメニュー画面）を表示しなくてもよい。
【００９５】
（変形例７）上記の各実施例では、端末装置１０は、寒中アイコンＡ３よりも大きいサイズを有する寒中アイコンＡ１３を含むメニュー画面ＭＳ５を表示する（図３のＴ４０６）。これに代えて、端末装置１０は、寒中アイコンＡ３内の文字よりも大きいサイズの文字が記載された寒中アイコンを含むメニュー画面を表示してもよい。また、端末装置１０は、寒中アイコンＡ３の右上にバッジ画像が配置されているメニュー画面を表示してもよい。本変形例では、大きいサイズの文字が記載されること又はバッジ画像が配置されることが、「第２の表示態様」の一例である。
【００９６】
（変形例８）図６のＳ２０４及びＳ２２０の判断を省略し、Ｓ２０２でＮＯと判断される場合に、Ｓ２１０の処理を実行し、Ｓ２０２でＹＥＳと判断される場合に、Ｓ２２４の処理を実行してもよい。一般的に言えば、「メニュー制御部」は、本日の日付が第２の期間である場合に、第１の指示が受け付けられたのか否かを判断することなく、第２の表示態様を有する寒中アイコンを含むメニュー画面を表示部に表示してもよい。
【００９７】
（変形例９）上記の各実施例では、ＣＰＵ２２は、図６のＳ２０８において、「ＯＦＦ」を示す喪中送付フラグ３０ｃ及び「ＯＮ」を示す年賀受取フラグ３０ｂに対応付けられている特定宛先情報が存在するのか否かを判断する。これに代えて、ＣＰＵ２２は、宛先テーブル３０内の全ての年賀受取フラグ３０ｂのうちのいずれかが「ＯＮ」であると判断する場合に、Ｓ２１２に進み、全ての年賀受取フラグ３０ｂが「ＯＦＦ」である場合に、Ｓ２１４に進んでもよい。一般的に言えば、「第２の判断部」は、他人から年賀状を受け取ったことを示す第２の指示を受け付けたのか否かを判断すればよい。
【００９８】
（変形例１０）図６のＳ２０８の判断を省略し、Ｓ２０４でＹＥＳと判断される場合に、Ｓ２１２の処理を実行してもよい。本変形例では、「第２の判断部」を省略可能である。
【００９９】
（変形例１１）図３のＴ３０６のメニュー画面ＭＳ３は、グレーアウトの年賀アイコンＡ１１を含む。これに代えて、メニュー画面ＭＳ３は、年賀アイコンＡ１を含まず、他のアイコンＡ２、Ａ３、Ａ４を含んでもよい。本変形例では、年賀アイコンＡ１を含まないメニュー画面ＭＳ３が、「第２のメニュー画面」の一例である。
【０１００】
（変形例１２）上記の第２実施例において、図４のＳ２０及びＳ２００を省略し、図９のＳ１６４の代わりに、寒中アイコンＡ３、喪中アイコンＡ２、及び、年賀アイコンＡ１が、上からこの順で配置されているメニュー画面ＭＳ１３を表示してもよい。一般的に言えば、「メニュー制御部」は、第１の指示が受け付けられたと判断する場合に、第２の表示態様を有する寒中アイコンを含む第２のメニュー画面を表示部に表示してもよい。
【０１０１】
（変形例１３）上記の各実施例では、ＣＰＵ２２は、スキャンアイコンＡ４が選択された後に表示される確認画面ＳＣ２で年賀状が選択される場合に、年賀受取フラグ３０ｂを「ＯＦＦ」から「ＯＮ」に変更する（図８のＳ５１４）。これに代えて、ＣＰＵ２２は、ユーザから所定の指示を受け付ける場合に、宛先テーブル３０内の複数個の宛先情報によって示される複数個の宛先と、複数個のチェックボックスと、が対応付けられている画面を表示してもよい。そして、ＣＰＵ２２は、当該画面内の各チェックボックスが選択される場合に、各チェックボックスに対応する宛先を示す宛先情報の年賀受取フラグ３０ｂを「ＯＦＦ」から「ＯＮ」に変更してもよい。本変形例では、上記の所定の指示の後に表示される上記の画面内のチェックボックスを選択することが、「第２の指示」の一例である。
【０１０２】
（変形例１４）図７のＳ４２６を省略してもよい。本変形例では、「所定画面制御部」を省略可能である。
【０１０３】
（変形例１５）「プリンタ」は、多機能機１００に限らず、印刷機能のみを備えるプリンタであってもよい。
【０１０４】
（変形例１６）上記の各実施例では、端末装置１０のＣＰＵ２２がプログラム２６、２８（即ちソフトウェア）を実行することによって、図４〜図１０の各処理が実現される。これに代えて、いずれかの処理は、論理回路等のハードウェアによって実現されてもよい。
【０１０５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０６】
２：通信システム、１０：端末装置、１２：表示部、１４：無線ＬＡＮＩ／Ｆ、１６：インターネットＩ／Ｆ、２０：制御部、２２：ＣＰＵ、２４：メモリ、２６：ＯＳプログラム、２８：はがきアプリ、３０：宛先テーブル、ＡＩ１、ＡＩ２：宛先情報、３０ａ：年賀送付フラグ、３０ｂ：年賀受取フラグ、３０ｃ：喪中送付フラグ、３０ｄ：喪中受取フラグ、３０ｅ：寒中送付フラグ、３２：喪中状態フラグ、１００：多機能機、２００：サーバ、ＮＩ：年賀画像、ＭＩ：喪中画像、ＮＴ：年賀サムネイル画像、ＭＴ：喪中サムネイル画像、ＭＳ１、ＭＳ２、ＭＳ３、ＭＳ４、ＭＳ５、ＭＳ１２、ＭＳ１３、ＭＳ１４：メニュー画面、Ａ１、Ａ１１：年賀アイコン、Ａ２：喪中アイコン、Ａ３、Ａ１３：寒中アイコン、Ａ４：スキャンアイコン、Ｂ１：バッジ画像、ＣＢ：チェックボックス、ＳＣ１：お悔み画面、ＳＣ２：確認画面
【図１】
2019061371.tif 000003
【図２】
2019061371.tif 000004
【図３】
2019061371.tif 000005
【図４】
2019061371.tif 000006
【図５】
2019061371.tif 000007
【図６】
2019061371.tif 000008
【図７】
2019061371.tif 000009
【図８】
2019061371.tif 000010
【図９】
2019061371.tif 000011
【図１０】
2019061371.tif 000012